【手続補正書】
【提出日】平成16年1月7日(2004.1.7)
【手続補正１】
【補正対象書類名】明細書
【補正対象項目名】全文
【補正方法】変更
【補正の内容】
【発明の名称】公共桝用閉塞装置
【特許請求の範囲】
【請求項１】排水管接続口部を側部に突設し、かつ、この排水管接続口部とほぼ等しい径か或いは大径の掃除口を上部に形成した公共桝本体内に着脱可能に取り付け、公共桝本体の排水管接続口部を閉塞する公共桝用閉塞装置であって、
前記公共桝本体の排水管接続口部の内周に移動可能に嵌合されこの排水管接続口部を閉塞する閉塞部材と、
この閉塞部材と離間対向して前記公共桝本体内に配設される締付け受け部材と、
この締付け受け部材と前記閉塞部材との間に配設される略環状の締付け部材と、
この締付け部材を前記閉塞部材と前記締付け受け部材とで締め付けて、この締付け部材をこの閉塞部材の周縁にて前記公共桝本体の排水管接続口部の内周面に圧接させる締付け機構と
を具備したことを特徴とする公共桝用閉塞装置。
【請求項２】公共桝本体の掃除口から操作可能な位置に、締付け機構の操作部を設けた
ことを特徴とする請求項１記載の公共桝用閉塞装置。
【請求項３】締付け機構の操作部を回動軸にて形成し、この回動軸を含む前記締付け機構のほぼ全体を覆うカバー体を有した
ことを特徴とする請求項２記載の公共桝用閉塞装置。
【請求項４】閉塞部材および締付け受け部材に通流孔を形成した
ことを特徴とする請求項１ないし３のいずれかに記載の公共桝用閉塞装置。
【請求項５】公共桝本体の排水管接続口部の内周に、締付け部材が係合するストッパー部を突設した
ことを特徴とする請求項１ないし４のいずれかに記載の公共桝用閉塞装置。
【発明の詳細な説明】
【０００１】
【発明の属する技術分野】
本発明は、公共桝本体に着脱可能に取り付けて、公共桝本体の排水管接続口部を閉塞する公共桝用閉塞装置に関する。
【０００２】
【従来の技術】
一般に、宅地内の排水管の末端は、公共桝本体に接続されている。そして、この公共桝本体には、取付管を介して下水本管が接続され、宅地内の排水は、宅地内の排水管から公共桝本体を経て、下水本管に流れ、最終的に下水処理場に流れ込むようになっている。
【０００３】
そして、この排水管系の敷設は、宅地造成時に、宅地外の公道下に下水本管を敷設し、この下水本管から取付管を分岐し、この取付管を宅地内の公共桝本体の流出口部に接続した後、この公共桝本体の掃除口に立上がり管を介して開閉蓋を地表に面して設置し、この公共桝本体の流入口部を着脱可能な閉塞具で閉塞して埋設する。次いで、宅地造成が完成し建造物が建築された後に、前記閉塞具を流入口部から取り外し、建造物からの排水を流す宅地内の排水管の末端を公共桝本体の流入口部に接続する。
【０００４】
しかしながら、上記排水管系において、下水本管に連通した公共桝本体の埋設後、下水の供用開始前に、宅地内の排水管の末端が、公共桝本体に接続された場合には、宅地内の排水が、宅地内の排水管から公共桝本体を経て、下水本管に流れ、最終的に、未だ稼働していない下水処理場に流れ込んでしまうおそれがある問題を有している。
【０００５】
また、下水処理場が稼働している場合でも、下水道事業者に無断で宅地内の排水管の末端が公共桝本体に接続されて、下水道が無断で利用されることがある。
【０００６】
そして、従来、この問題を解決する手段としては、例えば、実公平３−３２６１７号公報に記載されているように、公共桝本体の流出口部を閉塞する排水桝用栓体が知られている。この実公平３−３２６１７号公報に記載の排水桝用栓体は、公共桝本体の流出口部に嵌挿される挿入管部を有し、この挿入管部の外周に弾性シール材を嵌着した環状の嵌合凹部を形成するとともに、この挿入管部の開口部を外面に把手部を形成した底蓋部にて閉塞する。
【０００７】
そして、公共桝本体の流出口部に、公共桝本体の内側から、弾性シール材を外周に嵌着した挿入管部を嵌挿することにより、公共桝本体を閉塞して、供用開始前の下水本管に宅地内の排水が流れることを防止している。
【０００８】
【発明が解決しようとする課題】
しかしながら、上記実公平３−３２６１７号公報に記載の排水桝用栓体のように、弾性シール材を外周に嵌着した挿入管部を、単に公共桝本体の流出口部に嵌挿して公共桝本体を閉塞するのみでは、排水桝用栓体の底蓋部の把手部を把持することにより、この排水桝用栓体を簡単に引き抜くことができるため、簡単に閉塞状態が解除され、結局、宅地内の排水が、供用開始前の下水本管を流れ、未だ稼働していない下水処理場に流れ込んでしまう問題を有している。
【０００９】
また、簡単に閉塞状態が解除されるため、結局、下水処理場が稼働している場合でも、地方自治体等の下水道事業者に無断で宅地内の排水管の末端が公共桝本体に接続されて、下水道が無断で利用される問題を有している。
【００１０】
本発明は、このような点に鑑みなされたもので、公共桝本体の流出口部、流入口部などの排水管接続口部を容易に閉塞でき、この閉塞状態が簡単に解除されることを防止できる公共桝用閉塞装置を提供することを目的とする。
【００１１】
【課題を解決するための手段】
請求項１記載の公共桝用閉塞装置は、排水管接続口部を側部に突設し、かつ、この排水管接続口部とほぼ等しい径か或いは大径の掃除口を上部に形成した公共桝本体内に着脱可能に取り付け、公共桝本体の排水管接続口部を閉塞する公共桝用閉塞装置であって、前記公共桝本体の排水管接続口部の内周に移動可能に嵌合されこの排水管接続口部を閉塞する閉塞部材と、この閉塞部材と離間対向して前記公共桝本体内に配設される締付け受け部材と、この締付け受け部材と前記閉塞部材との間に配設される略環状の締付け部材と、この締付け部材を前記閉塞部材と前記締付け受け部材とで締め付けて、この締付け部材をこの閉塞部材の周縁にて前記公共桝本体の排水管接続口部の内周面に圧接させる締付け機構とを具備したものである。
【００１２】
そして、締付け機構による閉塞部材と締付け受け部材との締付けが解除された状態では、これら閉塞部材と締付け受け部材との間に配設する締付け部材は、公共桝本体の排水管接続口部の内周に圧接していないため、締付け部材による抵抗が少なく、容易に排水管接続口部の内周に挿入される。
【００１３】
また、排水管接続口部の内周に挿入された状態で、締付け機構にて締付け部材を閉塞部材と締付け受け部材とで締め付けて、この締付け部材をこの閉塞部材の周縁で排水管接続口部の内周面に圧接させると、この閉塞部材の周縁は、締付け部材を介して、排水管接続口部の内周面に圧接した状態で固定されるため、公共桝本体の排水管接続口部が容易に閉塞される。
【００１４】
そして、この排水管接続口部の閉塞状態は、締付け機構にて締付け部材が閉塞部材と締付け受け部材とで締め付けられているため、簡単に解除されない。
【００１５】
請求項２記載の公共桝用閉塞装置は、請求項１記載の公共桝用閉塞装置において、公共桝本体の掃除口から操作可能な位置に、締付け機構の操作部を設けたものである。
【００１６】
そして、締付け機構の操作部が公共桝本体の掃除口から操作可能な位置に設けられるため、操作スペースが確保され、締付け機構の操作部に適合する工具によって締付け機構の操作が容易に行われる。その一方、締付け機構の操作部に適合しない工具によって締付け機構の操作が行われず、排水管接続口部の閉塞状態が簡単に無断で解除されない。
【００１７】
請求項３記載の公共桝用閉塞装置は、請求項２記載の公共桝用閉塞装置において、締付け機構の操作部を回動軸にて形成し、この回動軸を含む前記締付け機構のほぼ全体を覆うカバー体を有したものである。
【００１８】
そして、締付け機構の操作部が回動軸にて形成され、この回動軸を含む締付け機構のほぼ全体を覆うカバー体を有するため、締付け機構の回動軸を把持して閉塞装置が引抜かれることがなく、排水管接続口部の閉塞状態は簡単に解除されない。
【００１９】
請求項４記載の公共桝用閉塞装置は、請求項１ないし３のいずれかに記載の公共桝用閉塞装置において、閉塞部材および締付け受け部材に通流孔を形成したものである。
【００２０】
請求項５記載の公共桝用閉塞装置は、請求項１ないし４のいずれかに記載の公共桝用閉塞装置において、公共桝本体の排水管接続口部の内周に、締付け部材が係合するストッパー部を突設したものである。
【００２１】
そして、ストッパー部が公共桝本体の排水管接続口部の内周に突設しているため、締付け部材を閉塞部材と締付け受け部材とで締め付けた状態で、この締付け部材がこのストッパー部に係合し、閉塞部材の周縁が締付け部材を介して排水管接続口部の内周面に圧接した状態で確実に固定されるので、公共桝本体の排水管接続口部が確実に閉塞され、しかも、簡単にはこの閉塞状態は解除されない。
【００２２】
【発明の実施の形態】
以下、本発明の公共桝用閉塞装置の一実施の形態の構成を図１ないし図３を参照して説明する。
【００２３】
図１ないし図３において、１は公共桝本体で、この公共桝本体１は、例えば、塩化ビニル樹脂などの合成樹脂にて成形され、この公共桝本体１の上部には、インバート部２の上方に位置して、略円筒状の掃除口３が開口して形成されている。
【００２４】
また、この公共桝本体１の一側部には、略円筒状の排水管接続口部としての流出口部４がインバート部２に連続して突設されている。そして、この流出口部４には、図示しない取付管を介して下水本管が接続され、この下水本管は、最終的に下水処理場に連通される。また、流出口部４の基端の内周面のほぼ上半分に、ストッパー部５が突設されている。
【００２５】
一方、この公共桝本体１の他側部には、略円筒状の排水管接続口部としての流入口部６がインバート部２に連続して突設されている。そして、この流入口部６には、図示しない宅地内の排水管の末端が接続される。
【００２６】
なお、前記掃除口３は、前記流出口部４または、流入口部６の径とほぼ等しい径か或いは大径に形成されている。また、前記インバート部２は、公共桝本体１の一端側から他端側に向かって上方に傾斜した形状であり、前記流入口部６が流出口部４に比べて一段高い位置に形成されている。さらに、このインバート部２の下部には、下縁がほぼ水平状の脚部７，８が形成されている。
【００２７】
また、図１および図２において、11は公共桝用閉塞装置で、この公共桝用閉塞装置11は、公共桝本体１の流出口部４の内周面に着脱可能に取り付けられてこの流出口部４を閉塞する。なお、この図１および図２に示す公共桝用閉塞装置11は、公共桝本体１の流出口部４の内周面に、挿入された状態であり、流出口部４が閉塞される前の状態である。また、図３は公共桝用閉塞装置11にて流出口部４を閉塞した状態を示す。
【００２８】
この公共桝用閉塞装置11は、公共桝本体１の流出口部４の内周に移動可能に嵌合される閉塞部材12を有している。この閉塞部材12は、流出口部４の内径より小さい外径の略円板状の閉塞部13を有している。そして、この閉塞部13の周縁の外周面には、流出口部４の内側から外側に向かって、拡径状に傾斜した環状の押圧面14が形成されている。また、この閉塞部13の下部には、一端面15から他端面16に貫通した略円形の通流孔17が形成されている。
【００２９】
次に、締付け機構について説明する。前記閉塞部材12の閉塞部13の他端面16の中央近傍には、公共桝本体１の流出口部４の管軸方向である水平方向に長手方向を有する軸部18が一体に形成されている。また、この軸部18の先端部には、水平方向に嵌合凹部22が形成され、垂直方向にこの嵌合凹部22を貫通してピン孔21が形成されている。
【００３０】
そして、この嵌合凹部22には、略平板状の連結体25の一端部が嵌合され、この連結体25の一端に位置する垂直方向に貫通したピン孔26および前記閉塞部材12の軸部18のピン孔21にピン27が嵌挿されて、連結体25が軸部18を中心として水平方向に揺動するように連結されている。
【００３１】
また、前記連結体25の他端部にも、垂直方向に貫通したピン孔28が形成され、この連結体25のピン孔28には、操作部となる回動軸31の下端部に形成した抜止め部32に上着したピン29が嵌挿されている。そして、このピン29の先端部は、前記抜止め部32の偏心位置に取り付けられ、前記回動軸31を回動させると、回動方向によって連結体25を介して閉塞部材12が、公共桝本体１の流出口部４を進退往復する。なお、この抜止め部32のピン29が中心から偏心した側である一側部には、前記回動軸31の回動範囲を規制する突出部32a が突設されている。
【００３２】
また、前記回動軸31は、垂直方向に軸支され、この回動軸31の外周面の上部には、軸方向に沿った複数のローレット状の凹凸部33が形成されている。この回動軸31は、複数の凹凸部33に対応した形状の凸凹部を有し回動軸31に適合する図示しない工具にて操作される。また、この回動軸31の上端部は、前記公共桝本体１の掃除口３の近くに位置しており、この回動軸31は掃除口３から容易に適合工具にて操作できるようになっている。さらに、この回動軸31の上部には回動軸31より径大の環状の突出部35が嵌合固定されている。
【００３３】
また、前記回動軸31は、横断面略三角形状の板状の上側支持体41および下側支持体42にて回転可能に支持されている。この上側支持体41および下側支持体42の先端部に形成された貫通孔41a ，42a に回動軸31が回転自在に嵌挿され、これら上側支持体41の上部および下側支持体42の下部に位置する前記抜止め部32および突出部35にて垂直方向に移動しないよう支持されている。
【００３４】
さらに、前記下側支持体42の先端部の下部には、断面略逆Ｌ字状の回動ストッパー部43が取り付けられている。この回動ストッパ部43の先端部は前記抜止め部32の近傍に位置し、この抜止め部32が約１８０°回動することにより前記突出部32a がこの回動ストッパ部43に当接する。
【００３５】
なお、連結体25、ピン27，29、回動軸31、上側支持体41、下側支持体42などにて、締付け機構44が構成されている。
【００３６】
一方、前記上側支持体41および下側支持体42のそれぞれの両側に形成した取付けねじ孔45，46に、ねじ48，48が螺合されて、これら上側支持体41および下側支持体42が締付け受け部材51に取り付けられている。
【００３７】
この締付け受け部材51は、流出口部４の内径より小さい外径の略円板状の締付受部55を有し、この締付受部55の一端面は、前記閉塞部材12の閉塞部13の他端面16と離間対向している。そして、この締付受部55の他側上部には、被取付部56が突設されている。この被取付部56の一側面は、公共桝本体１の掃除口３の内周面に係止される形状となっている。
【００３８】
また、前記締付け受け部材51の締付受部55のほぼ中央部分には、一端面57から他端面58に貫通した貫通孔59が形成されている。この貫通孔59には、前記閉塞部材12の軸部18が摺動可能に嵌挿されている。さらに、この締付受部55の下部で前記閉塞部材12の通流孔17に対応する位置には、一端面57から他端面58に貫通した略円形の通流孔60が形成されている。さらに、前記締付受部55の流出側である一端側の周縁の外周面には、流出口部４の内側から外側に向かって、前記閉塞部材12の押圧面14に対向して、縮径状に傾斜した環状の押圧面62が形成されている。
【００３９】
一方、前記締付け受け部材51と閉塞部材12との間には、流出口部４の内径より小さい外径の略環状のシール性を有する弾性材にて成形した締付け部材65が配設されている。この締付け部材65の内周面66は、締付け受け部材51の押圧面62と、閉塞部材12の押圧面14とに圧接されるように対向して、中央に向かって縮径した被押圧面となっている。そして、この内周面66の一部は、前記締付け受け部材51の押圧面62および閉塞部材12の押圧面14に接触している。なお、この締付け部材65の外周面は、締付け機構44により締め付けられる前の状態では、流出口部４の内周面には圧接していないが、締付け機構44により締め付けられると、図３に示すように、締付け部材65の外周面は、流出口部４の内周に圧接するようになっている。
【００４０】
次に、上記一実施の形態の作用を説明する。
【００４１】
排水管系の敷設は、例えば、宅地造成時に、宅地外の公道下に敷設した下水本管から取付管を分岐接続する。
【００４２】
そして、公共桝本体１を埋め戻す前に、公共桝用閉塞装置11で、公共桝本体１の流出口部４を閉塞する。すなわち、まず、締付け機構44による締付け受け部材51と閉塞部材12との締付けを解除した状態で、締付け受け部材51と閉塞部材12との間に、締付け部材65を装着して配設させる。
【００４３】
そして、この公共桝用閉塞装置11を、公共桝本体１の掃除口３から、公共桝本体１内に容易に位置させ、その後、閉塞部材12、締付け受け部材51および締付け部材65を、流出口部４に挿入する。この際、締付け部材65の外周面は、流出口部４の内周面に圧接してないため、締付け部材65による抵抗が少なく、容易に、流出口部４の内周に挿入できる。
【００４４】
この閉塞部材12、締付け受け部材51および締付け部材65を、流出口部４に挿入した状態で、公共桝本体１の掃除口３から、締付け機構44の回動軸31に適合する工具を用いて、締付け機構44の操作を行う。つまり、適合工具を締付け機構44の回動軸31に嵌合させて、回動軸31を抜止め部32の突出部32a が回動ストッパ部43に当接するまで回動させると、回動軸31と連結体25とが、抜止め部32の偏心位置に取り付けたピン29にて連結されているため、回動軸31の回転運動が連結体25を介して、閉塞部材12の往復運動に変換され、閉塞部材12が公共桝本体１の流出口部４に対して進退往復する。
【００４５】
したがって、例えば、回動軸31を右回りに約１８０°回すと、閉塞部材12が、中心から偏心位置までの長さに関連した距離分、締付け受け部材51側に移動し、閉塞部材12の押圧面14と、締付け受け部材51の押圧面62とで、締付け部材65が締め付けられる。
【００４６】
この状態で、図３に示すように、締付け部材65が圧縮されて、外周方向に伸び、この締付け部材65の外周面が流出口部４の内周面に圧接する。
【００４７】
特に、流出口部４の先端の内周のほぼ上半分に、ストッパー部５が突設されているため、この締付け部材65がこのストッパー部５に係合するため、流出口部４から公共桝本体１の内方への引張力に対する、締付け部材65の抵抗が確実に大きくなり、確実に取り外されない。
【００４８】
また、締付け受け部材51の被取付部56の一側面は、公共桝本体１の掃除口３の内周面に係止される形状となっているため、締付け機構44の操作の際に、締付け受け部材51を公共桝本体１に対し係止させることができ、この締付け機構44の操作を容易に行うことができる。
【００４９】
こうして、公共桝用閉塞装置11を適合工具にて閉塞部材12の押圧面14が締付け部材65を介して流出口部４の内周面に圧接した状態で確実に固定し、公共桝本体１の流出口部４を確実に閉塞する。
【００５０】
さらに、公共桝本体１の流入口部６に着脱可能な図示しない閉塞具を取り付けて、この流入口部６を閉塞する。
【００５１】
そして、この公共桝本体１の掃除口３に立上がり管を接続し、この立上がり管の上部に開閉蓋を地表に面して設置する。
【００５２】
次いで、宅地造成が完成し建造物が建築された後に、公共桝本体１を掘り起こし、前記閉塞具を流入口部６から取り外し、建造物からの排水を流す宅地内の排水管の末端をこの流入口部６に接続する。
【００５３】
そして、下水道事業者等の許可を得た者が、公共桝本体１の流出口部４の閉塞状態を解除して、公共桝用閉塞装置11を公共桝本体１外に取り出し、公共桝本体１を下水本管に連通させる。すなわち、開閉蓋を開けて、公共桝本体１の掃除口３から、締付け機構44の回動軸31に適合する工具を用いて、例えば、回動軸31を左回りに約１８０°回すと、閉塞部材12が、中心から偏心位置までの長さの２倍の距離分、締付け受け部材51から離反する側に移動する。この移動により、閉塞部材12の押圧面14と締付け受け部材51の押圧面62とによる締付け部材65の締付けが解除され、公共桝用閉塞装置11を流出口部４から公共桝本体１外に容易に取り出せる。
【００５４】
ここで、公共桝本体１を埋め戻した後、下水の供用が開始になる前の間に、公共桝本体１が掘り起こされ宅地内の排水管の末端が公共桝本体１の流入口部６に接続される場合がある。また、下水施設の供用開始後に、宅地内の排水管の末端が公共桝本体１の流入口部６に接続される場合も含めて、下水道事業者の許可を得ずに無断で、下水道が利用される場合がある。
【００５５】
しかし、公共桝用閉塞装置11で公共桝本体１の流出口部４が閉塞されていると、締付け機構44の回動軸31に適合しない工具によって、締付け機構44の操作が行われず、流出口部４の閉塞状態が無断で簡単に解除されない。従って、許可を得た者だけが回動軸31に適合する工具を所有できるのであれば、無断で公共桝本体１の流出口部４の閉塞状態が解除されることが防止される。
【００５６】
このようにして、上記一実施の形態によれば、適合工具を用いて公共桝本体１の流出口部４を容易に閉塞でき、しかも、無断で簡単にこの閉塞状態が解除されることを防止でき、宅地内の排水が下水本管を流れ未だ稼働していない下水処理場に流れ込んでしまうこと、下水道が無断で利用されること等を確実に防止できる。
【００５７】
さらに、公共桝本体１の流出口部４が閉塞状態にあっても、閉塞部材12および締付け受け部材51は、下部に貫通した通流孔17，60を有するため、公共桝本体１内に結露した水滴などが溜まることがない。
【００５８】
また、締付け機構44の回動軸31が、公共桝本体１の掃除口３から操作可能な位置に設けられているため、操作スペースを確保でき、締付け機構44を容易に操作でき、よって、公共桝用閉塞装置11を公共桝本体１へ容易に着脱でき、公共桝本体１の流出口部４を容易に開閉できる。
【００５９】
また、締付け部材65が係合するストッパー部５が、公共桝本体１の流出口部４の内周面に突設しているため、流入口部６から閉塞状態が解除されることを確実に防止できる。
【００６０】
なお、上記実施の形態においては、公共桝用閉塞装置11は、公共桝本体１の流出口部４に取り付けられ、この流出口部４を閉塞するとして説明したが、公共桝本体１の流入口部６に取り付け、この流入口部６を閉塞するようにもできる。
【００６１】
また、上記実施の形態においては、締付け機構44は、連結体25、ピン27，29、回動軸31、上側支持体41、下側支持体42などにて構成されるとして説明したが、この構成に限定されない。
【００６２】
また、締付け機構44の回動軸31を回すと、閉塞部材12が締付け受け部材51側に移動して閉塞状態となる構造として説明したが、締付け受け部材51が閉塞部材12側に移動して閉塞状態となる構造とすることもできる。
【００６３】
さらに、上記実施の形態においては、締付受部55の上部には、被取付部56が突設されている構成として説明したが、被取付部56を形成することなく、排水管接続口部内で締付け部材65を締付けるようにすることもできる。
【００６４】
また、上記実施の形態においては、締付け部材65は、流出口部４の内径より小さい外径の略環状のシール性を有する弾性材にて成形した構造について説明したが、この構造に限られるものではない。例えば、塩化ビニル樹脂などの合成樹脂、あるいは、金属材料にて成形した構造でもよい。また、切欠部を有する略環状の締付け部材であって、締付け機構44の締付けにより、外周方向に変形し、この締付け部材の外周面が排水管接続口部の内周面に圧接する構造でもよい。なお、この場合において、排水管接続口部の液密性は、確保されないが、多少の漏洩は問題とならない。
【００６５】
上記実施の形態においては、操作部となる回動軸31の上部外周面は、軸方向に沿ったローレット状の凹凸部33を形成した構成について説明したが、操作部となる回動軸31の上部は専用工具に適合する適宜の形状とすることができる。なお、この操作部の回動軸31の上部形状を複雑な形状とすることにより公共桝本体１の流出口部４または流入口部６を閉塞している閉塞装置の解除が簡単にできないようにすることがこのましい。
【００６６】
次に、本発明の公共桝用閉塞装置の他の実施の形態の構成を図４および図５を参照して説明する。なお、上記実施の形態の構成と略同一構成部分については同一符号を付して、その説明を省略する。
【００６７】
図４および図５において、71は公共桝用閉塞装置で、この公共桝用閉塞装置71は、締付け機構44の操作部となる回動軸31を備え、この回動軸31を含む締付け機構44のほぼ全体を覆うカバー体72を有する。このカバー体72は、塩化ビニル樹脂などの合成樹脂などにて、湾曲した薄板状に形成する。
【００６８】
また、このカバー体72の両端部には、取付けねじ挿通孔73を形成する。そして、この取付けねじ挿通孔73に挿通したねじ74を、上側支持体41および下側支持体42の被取付面部に螺合して、カバー体72を上側支持体41および下側支持体42に取り付ける。
【００６９】
そして、公共桝用閉塞装置71が、回動軸31を含む締付け機構44のほぼ全体を覆うカバー体72を有するため、例えば、この回動軸31を把持してこの公共桝用閉塞装置71を引き抜くことは困難であり、流出口部４の閉塞状態が無断で簡単に解除されることを防止できる。
【００７０】
なお、上記他の実施の形態においては、カバー体72は塩化ビニル樹脂などの合成樹脂などにて湾曲した薄板状に形成すると説明したが、この形状には限定されず、また、合成樹脂以外のもので成形したものであってもよい。
【００７１】
また、上記実施の形態においては、公共桝本体１の流入口部６は、公共桝本体１の他側部に突設した一つの構成として説明したが、複数の構成でもよい。
【００７２】
【発明の効果】
請求項１記載の発明によれば、公共桝本体の排水管接続口部の内周に挿入された状態で、締付け機構にて締付け部材を閉塞部材と締付け受け部材とで締め付けて、この締付け部材をこの閉塞部材の周縁で排水管接続口部の内周面に圧接させると、この閉塞部材の周縁が締付け部材を介して排水管接続口部の内周面に圧接した状態で固定されるため、公共桝本体の排水管接続口部を容易に閉塞でき、しかも、簡単にこの閉塞状態が解除されることを防止できる。
【００７３】
請求項２記載の発明によれば、締付け機構の操作部が公共桝本体の掃除口から操作可能な位置に設けられるため、操作スペースが確保され、締付け機構の操作部に適合する工具によって締付け機構を容易に操作できる。その一方、締付け機構の操作部に適合しない工具によって締付け機構の操作が行われず、排水管接続口部の閉塞状態が簡単に無断で解除されることを防止できる。
【００７４】
請求項３記載の発明によれば、締付け機構の操作部は回動軸にて形成され、この回動軸を含む締付け機構のほぼ全体を覆うカバー体を有するため、例えば締付け機構の回動軸が把持され閉塞装置が引抜かれることがなく、排水管接続口部の閉塞状態が簡単に解除されることを防止できる。
【００７５】
請求項５記載の発明によれば、ストッパー部が公共桝本体の排水管接続口部の内周に突設しているため、締付け部材を閉塞部材と締付け受け部材とで締め付けた状態で、この締付け部材がこのストッパー部に係合し、閉塞部材の周縁が締付け部材を介して排水管接続口部の内周面に圧接した状態で確実に固定されるので、公共桝本体の排水管接続口部を確実に閉塞でき、しかも、簡単にこの閉塞状態が解除されることを確実に防止できる。
【図面の簡単な説明】
【図１】本発明の公共桝用閉塞装置の一実施の形態を示す縦断正面図である。
【図２】同上公共桝用閉塞装置を示す一部を切り欠いた平面図である。
【図３】同上公共桝用閉塞装置の締付け部材が締付け機構により締め付けられた状態を示す縦断面図である。
【図４】本発明の公共桝用閉塞装置の他の実施の形態を示す縦断正面図である。
【図５】同上公共桝用閉塞装置を示す一部を切り欠いた平面図である。
【符号の説明】
１    公共桝本体
３    掃除口
４    排水管接続口部としての流出口部
５    ストッパー部
６    排水管接続口部としての流入口部
11，71    公共桝用閉塞装置
12    閉塞部材
17，60    通流孔
31    操作部となる回動軸
44    締付け機構
51    締付け受け部材
65    締付け部材
72    カバー体